(57)【要約】【課題】屋根の防水工を容易に行うとともに、防水工のメンテナンスを容易に行うことができる建物を提供する。【解決手段】外周壁１１の上部にパラペット壁２１が設けられ、このパラペット壁２１に囲まれた部分に勾配屋根５２が設けられ、この勾配屋根５２の軒部分にはパラペット壁２１の内側に沿って平坦部６０が設けられており、パラペット壁２１、平坦部６０の上面、及び勾配屋根５２の上面は防水シート４１により被覆されており、勾配屋根５２のパラペット壁２１上端よりも高い部分の防水シート４１は屋根材５６によって被覆されているとともに、パラペット壁２１の内周面、平坦部６０、及び勾配屋根５２のパラペット壁２１上端よりも低い部分の防水シート４１は露出しているので、防水シート４１の表面の状態を外から把握することができ、防水工のメンテナンスを容易にすることができる。【選択図】図２
2005320731.tif 000002
【特許請求の範囲】
【請求項１】
外周壁の上部にパラペット壁が設けられ、このパラペット壁に囲まれた部分に勾配屋根が設けられ、この勾配屋根の軒部分には前記パラペット壁の内側に沿って平坦部が設けられており、前記パラペット壁、平坦部の上面、及び勾配屋根の上面は防水シートにより被覆されており、前記勾配屋根の前記パラペット壁上端よりも高い部分の前記防水シートは屋根材によって被覆されているとともに、前記パラペット壁の内周面、平坦部、及び前記勾配屋根の前記パラペット壁上端よりも低い部分の前記防水シートは露出していることを特徴とする屋根の防水構造。
【請求項２】
前記外周壁の内周面には屋根受け材が設けられており、前記勾配屋根は軒部分を前記屋根受け材に支持されていることを特徴とする請求項１に記載の屋根の防水構造。
【請求項３】
前記勾配屋根は切妻屋根を構成し、前記勾配屋根を支持する妻壁は前記パラペット壁と平行かつ所定間隔離間しており、前記パラペット壁と前記妻壁との間は床部により接続されており、前記平坦部及び前記床部が平面視において略環状に配置されていることを特徴とする請求項１または２に記載の屋根の防水構造。
【請求項４】
前記床部の上面は前記平坦部の上面よりも低位置に配置されており、前記床部には雨水を排水するドレーン管が埋設されていることを特徴とする請求項３に記載の屋根の防水構造。
【請求項５】
前記床部は前記パラペット壁を構成する部材の下端よりも上部に取り付けられていることを特徴とする請求項３または４に記載の屋根の防水構造。
【発明の詳細な説明】
【技術分野】
【０００１】
本発明は、屋根の防水構造に関する。
【背景技術】
【０００２】
例えば、パラペット壁の内側に勾配屋根が設けられた屋根の防水構造の一例として、特許文献１に記載の技術が知られている。この技術は、勾配屋根の軒先部と、パラペット壁とに防水シートを敷設するとともに、防水シートを不燃材で被覆したものである。
【特許文献１】特開平１０−２７３９４９号公報
【発明の開示】
【発明が解決しようとする課題】
【０００３】
しかし、特許文献１に記載の技術では、防水シートが不燃材によって被覆されているので、この不燃材を剥がさなければ防水シートの状態を確認することができず、メンテナンスに手間がかかる。また、屋根の軒先部の防水工を行う場合も、防水シートを敷設した上で、この防水シートを不燃材で被覆しているので、手間がかかる。
【０００４】
本発明の課題は、防水工を容易に行うとともに、防水工のメンテナンスを容易に行うことができる屋根の防水構造を提供することである。
【課題を解決するための手段】
【０００５】
以上の課題を解決するため、請求項１に記載の発明は、建物の屋根の防水構造であって、例えば図１〜３に示すように、外周壁１１の上部にパラペット壁２１が設けられ、このパラペット壁２１に囲まれた部分に勾配屋根５２が設けられ、この勾配屋根５２の軒部分には前記パラペット壁２１の内側に沿って平坦部６０が設けられており、前記パラペット壁２１、平坦部６０の上面、及び勾配屋根５２の上面は防水シート４１により被覆されており、前記勾配屋根５２の前記パラペット壁２１上端よりも高い部分の前記防水シート４１は屋根材５６によって被覆されているとともに、前記パラペット壁２１の内周面、平坦部６０、及び前記勾配屋根５２の前記パラペット壁２１上端よりも低い部分の前記防水シート４１は露出していることを特徴とする。
【０００６】
ここで、平坦部６０は、必ずしも水平でなくてもよく、パラペット壁２１に沿って雨水が流れるように約１／１０〜１／５０程度の勾配がつけられていてもよい。
【０００７】
請求項１に記載の発明によれば、外周壁１１の上部にパラペット壁２１が設けられ、このパラペット壁２１に囲まれた部分に勾配屋根５２が設けられ、この勾配屋根５２の軒部分にはパラペット壁２１の内側に沿って平坦部６０が設けられており、パラペット壁２１、平坦部６０の上面、及び勾配屋根５２の上面は防水シート４１により被覆されており、勾配屋根５２のパラペット壁２１上端よりも高い部分の防水シート４１を屋根材５６によって隠すとともに、パラペット壁２１の内周面、平坦部６０、及び勾配屋根５２のパラペット壁２１上端よりも低い部分の防水シート４１を露出させていることで、防水工を安価にすることができるとともに、塩ビシートの表面の状態を外から把握することができるため、防水工のメンテナンスを容易にすることができる。また、従来のように防水シートを不燃材で被覆しないため、防水工を容易に行うことができる。
【０００８】
請求項２に記載の発明は、請求項１に記載の屋根の防水構造であって、前記外周壁１１の内周面には屋根受け材２６が設けられており、前記勾配屋根５２は軒部分を前記屋根受け材２６に支持されていることを特徴とする。
【０００９】
請求項２に記載の発明によれば、外周壁１１の内周面に屋根受け材２６が設けられており、勾配屋根５２が軒部分を屋根受け材２６に支持されているので、勾配屋根５２の下に勾配屋根５２を支持する耐力壁等の支持構造を設ける必要がなく、大空間の居室を形成することができる。
【００１０】
請求項３に記載の発明は、請求項１または２に記載の屋根の防水構造であって、前記勾配屋根５２は切妻屋根５０を構成し、前記勾配屋根５２を支持する妻壁３１は前記パラペット壁２１と平行かつ所定間隔離間しており、前記パラペット壁２１と前記妻壁３１との間は床部７０により接続されており、前記平坦部６０及び前記床部７０が平面視において略環状に配置されていることを特徴とする。
【００１１】
請求項３に記載の発明によれば、勾配屋根５２が切妻屋根５０を構成し、切妻屋根５０を支持する妻壁３１がパラペット壁２１と平行かつ所定間隔離間しており、パラペット壁２１と妻壁３１との間が床部７０により接続されており、平坦部６０及び床部７０が平面視において略環状に配置されているので、切妻屋根５０の四方を囲む溝状の構造がパラペット壁２１の内周に沿って形成されるため、排水溝として利用することができる。
【００１２】
請求項４に記載の発明は、請求項３に記載の屋根の防水構造であって、前記床部７０の上面は前記平坦部６０の上面よりも低位置に配置されており、前記床部７０には雨水を排水するドレーン管１４が埋設されていることを特徴とする。
【００１３】
請求項４に記載の発明によれば、床部７０の上面は平坦部６０の上面よりも低位置に配置されているため、切妻屋根５０に降った雨水が平坦部６０を流れて床部７０に流れ込み、ドレーン管１４を通して排水されるので、切妻屋根５０やその周囲に降った雨水を確実に排水することができる。
【００１４】
請求項５に記載の発明は、請求項３または４に記載の屋根の防水構造であって、図３に示すように、前記床部７０を構成する部材（床パネル７１）は前記パラペット壁２１を構成する部材（壁パネル２２）の下端よりも上部に取り付けられていることを特徴とする。
【００１５】
ここで、パラペット壁２１を構成する部材とは、例えば壁パネル２２等が挙げられるが、この他にも、任意の部材を用いることができる。
【００１６】
請求項５に記載の発明によれば、床部７０を構成する部材（床パネル７１）がパラペット壁２１を構成する部材（壁パネル２２）の下端よりも上部に取り付けられているので、パラペット壁２１の上端から床部７０までの高さを低くすることができ、パラペット壁２１と妻壁３１との間に手を入れて容易に防水シート４２を床部７０に敷設することができる。
【発明の効果】
【００１７】
本発明によれば、外周壁の上部にパラペット壁が設けられ、このパラペット壁に囲まれた部分に勾配屋根が設けられ、この勾配屋根の軒部分にはパラペット壁の内側に沿って平坦部が設けられており、パラペット壁、平坦部の上面、及び勾配屋根の上面は防水シートにより被覆されており、勾配屋根のパラペット壁上端よりも高い部分の防水シートを屋根材によって隠すとともに、パラペット壁の内周面、平坦部、及び勾配屋根のパラペット壁上端よりも低い部分の防水シートを露出させていることで、防水工を安価にすることができるとともに、塩ビシートの表面の状態を外から把握することができるため、防水工のメンテナンスを容易にすることができる。また、従来のように防水シートを不燃材で被覆しないため、防水工を容易に行うことができる。
【００１８】
また、外周壁の内周面に屋根受け材が設けられており、勾配屋根が軒部分を屋根受け材に支持されているので、勾配屋根の下に勾配屋根を支持する耐力壁等の支持構造を設ける必要がなく、大空間の居室を形成することができる。
【００１９】
また、勾配屋根が切妻屋根を構成し、切妻屋根を支持する妻壁がパラペット壁と平行かつ所定間隔離間しており、パラペット壁と妻壁との間が床部により接続されており、平坦部及び床部が平面視において略環状に配置されているので、切妻屋根の四方を囲む溝状の構造がパラペット壁の内周に沿って形成されるため、排水溝として利用することができる。
【００２０】
また、床部の上面は平坦部の上面よりも低位置に配置されているため、切妻屋根に降った雨水が平坦部を流れて床部の上部に流れ込み、ドレーン管を通して排水されるので、切妻屋根やその周囲に降った雨水を確実に排水することができる。
【００２１】
また、床部を構成する部材がパラペット壁を構成する部材の下端よりも上部に取り付けられているので、パラペット壁の上端から床部までの高さを低くすることができ、パラペット壁と妻壁との間に手を入れて容易に防水シートを床部に敷設することができる。
【発明を実施するための最良の形態】
【００２２】
以下、本発明の実施の形態について詳細に説明する。図１は本発明の建物を示す平面図であり、図２は正面図、図３は側面図である。この建物は、予め工場で形成された床パネル、壁パネル、天井パネル等の矩形板状のパネルを配列していくことにより、床、壁、天井等を形成していくパネル工法により建設される。各パネルは、矩形枠状の框材に必要に応じて補強桟材が設けられ、片面あるいは両面に合板が貼られて形成されている。
【００２３】
図１〜３において、建物の外周壁１１の上部にパラペット壁２１が設けられている。なお、図１に示すように、建物の北側の外周壁１１には凹部があり、切妻屋根５０を支持する妻壁３１と一体化している。この凹部には図示しない玄関やベランダ、窓等が設けられる。
【００２４】
図２及び図３に示すように、外周壁１１を構成する壁パネル１２の上端には、パラペット壁２１を構成する壁パネル２２がボルトや接着剤等により取り付けられている。また、壁パネル２２の上部には、半割２３が取り付けられている。壁パネル１２には、ドレーン管１４が貫通している。また、壁パネル２２には、オーバーフロー管２４が貫通している。
【００２５】
壁パネル１２及び壁パネル２２の外周面は、外装材１３で被覆されている。壁パネル２２の内周面及び半割２３の上面は、防水シート４１で被覆されている。また、半割２３の上部には、防水シート４１と外装材１３との間に雨水が入ることを防ぐ笠木２５が設けられている。
【００２６】
壁パネル１２及び壁パネル２２の内周面には、屋根パネル５３を支持する屋根受け材２６が設けられている。屋根受け材２６は屋根パネル５３を軒部分で支持するので、屋根パネル５３の下に屋根パネル５３を支持する耐力壁等の支持構造を設ける必要がなく、大空間の居室を形成することができる。
また、壁パネル１２及び壁パネル２２の内周面には、床パネル７１を支持する床受け材７２が設けられている。
【００２７】
建物の上部のパラペット壁２１に囲まれた部分には、切妻屋根５０が設けられている。切妻屋根５０は、建物中央の南北方向に棟５１が形成され、棟５１から東西に傾斜する勾配屋根５２が設けられて形成されている。
【００２８】
勾配屋根５２を構成する屋根パネル５３は、図２に示すように、軒部分の壁パネル１２及び壁パネル２２の内周面に設けられた屋根受け材２６により支持されるとともに、Ｈ形鋼５４により支持されている。Ｈ形鋼５４は両端部で妻壁３１により支持されている。
【００２９】
また、切妻屋根５０の軒部分には、図２に示すように、壁パネル２２の内周面及び屋根パネル５３の上面に設けられた受け材６１により、幅約３０ｃｍの合板６２がほぼ水平に支持されている。なお合板６２は、必ずしも水平でなくてもよく、パラペット壁２１に沿って約１／１０〜１／５０程度の勾配がつけられていてもよい。この合板６２の上面が防水シート４１により被覆され、平坦部６０が形成されている。
【００３０】
防水シート４１は、壁パネル２２の内周面、半割２３の上面、合板６２の上面、及び屋根パネル５３の上面を被覆する。防水シート４１としては、塩ビシート等を用いることが好ましい。塩ビシートのみの屋根仕上げとすることで、塩ビシートの表面の状態を外から把握することができるため、防水工のメンテナンスを容易にすることができる。
【００３１】
防水シート４１で被覆された屋根パネル５３の上面の、パラペット壁２１上端とほぼ同じ高さの位置には、軒先水切り５５が設けられている。また、軒先水切り５５よりも上側部分の防水シート４１は屋根材５６により被覆されている。パラペット壁２１上端よりも上側部分の防水シート４１が屋根材５６により被覆されているので、地上から防水シート４１が見えないようにすることができる。
屋根パネル５３の妻側の端部には、破風５７が取り付けられる。破風５７は防水シート４１と屋根パネル５３との間に雨水が浸入することを防ぐ。
【００３２】
図３に示すように、妻壁３１は南北の外周壁１１と約３０ｃｍ以上離間しかつ平行に配置されている。妻壁３１を構成する壁パネル３２の下部には、南北の外周壁１１と平行に梁材３３が設けられている。壁パネル３２は梁材３３により支持されている。壁パネル３２及び梁材３３の外周壁１１側の面には、床パネル７１を支持する床受け材７２が設けられている。
【００３３】
壁パネル３２の外周壁１１側の面の、パラペット壁２１よりも低い部分は、防水シート４２により被覆されている。また、壁パネル３２の外周壁１１側の面の、防水シート４２の上端部分には、水切り３４が設けられている。壁パネル３２の外周壁１１側の面の、水切り３４よりも高い部分は、外装材３５により被覆されている。
【００３４】
床パネル７１は、床受け材７２により支持されている。床パネル７１は、図２に示すように、平坦部６０よりも上面が低くなるように設置されている。このため、屋根上に降った雨水は、平坦部６０を流れて床パネル７１上に流入する。なお、床パネル７１は、必ずしも水平でなくてもよく、パラペット壁２１に沿って約１／１０〜１／５０程度の勾配がつけられていてもよい。
【００３５】
床パネル７１の上面は、防水シート４２により被覆されている。また、床パネル７１には、ドレーン管１４が埋設されている。ドレーン管１４は、図２に示すように、床パネル７１と床パネル７１直下の天井８０との間で折れ曲がり、外周壁１１を貫通している。外周壁１１を貫通したドレーン管１４は、図１に示す竪樋１５（図２には図示せず）へ連通する。
【００３６】
ドレーン管１４の配置される位置としては、例えば図１に示すように、床パネル７１の端部等が挙げられるが、床パネル７１のその他の任意の場所に設けることができる。また、ドレーン管１４が連通する竪樋１５の配置される位置としては、例えば図１に示すように、建物の隅角部などが挙げられるが、その他の任意の位置に設けてもよい。床パネル７１に勾配をつける場合には、ドレーン管１４の配置される位置に向かって下降するように勾配をつけることが好ましい。
【００３７】
防水シート４２は、壁パネル２２の内周面、半割２３の上面、床パネル７１の上面、及び壁パネル３２の外周壁１１側の面の、パラペット壁２１よりも低い部分を被覆する。防水シート４２としては、上述した防水シート４１と同様に、塩ビシート等を用いることが好ましい。
【００３８】
このような構造の建物では、壁パネル２２の内周面、半割２３の上面、合板６２の上面、及び屋根パネル５３の上面を防水シート４１で被覆することで屋根の軒部分の防水工が完了するため、防水シート４１の折り曲げ箇所が少なくすることができる。また、作業者が合板６２の上で防水シート４１を貼ることができるため、容易に防水工を行うことができる。
【００３９】
また、妻側においても、壁パネル３２の外周壁１１側の面、床パネル７１の上面、及び壁パネル２２の内周面を防水シート４２で被覆することで防水工が完了するため、防水シート４２の折り曲げ箇所が少なくすることができる。また、作業者が床パネル７１の上で防水シート４２を貼ることができるので、容易に防水工を行うことができる。
【００４０】
また、平坦部６０よりも床パネル７１の上面を低く配置することにより、屋根に降った雨水が平坦部６０を流れて床パネル７１の上部に流れるようにするため、屋根パネル５３の軒部分に穴を空けてドレーン管１４を設ける必要がなく、勾配屋根５２の耐力を向上させることができる。
【００４１】
また、床受け材７２が壁パネル１２と壁パネル２２の境界部分、及び壁パネル３２と梁材３３との境界部分に設けられているので、床パネル７１の上面をより高く配置することができる。したがって、パラペット壁２１上端から床パネル７１の上面までの深さを浅くすることができ、パラペット壁２１と妻壁３１との間に手を入れて容易に防水シート４２を敷設することができる。
【００４２】
また、防水工を防水シート仕上げとし、防水シートを剥き出しの状態にすることで、防水シートの表面の状態を外から把握することができるため、防水工のメンテナンスを容易にすることができる。
【００４３】
なお、以上の実施の形態においては、建物の妻側に凹部が設けられていたが、凹部はなくてもよいし、軒側に設けられていてもよい。また、屋根の形状も、切妻屋根に限らず、寄棟屋根や方形屋根、片流れ屋根等の任意の形状にすることができる。
【００４４】
また、本発明の建物は、パネル工法以外にも、軸組み工法、ツーバイフォー工法、鉄骨建てやコンクリート建て等の任意の工法を用いてもよく、その他具体的な細部構造についても適宜変更可能であることはもちろんである。
【図面の簡単な説明】
【００４５】
【図１】本発明の建物を示す平面図である。
【図２】図１におけるＡ−Ａ断面図である。
【図３】図１におけるＢ−Ｂ断面図である。
【符号の説明】
【００４６】
１１   外周壁
１４   ドレーン管
２１   パラペット壁
１２、２２、３２     壁パネル
２６   屋根受け材
３１   妻壁
４１、４２    防水シート
５０   切妻屋根
５２   勾配屋根
５６   屋根材
６０   平坦部
７０   床部
７１   床パネル
【図１】
2005320731.tif 000003
【図２】
2005320731.tif 000004
【図３】
2005320731.tif 000005